(57)【要約】【課題】通常時のスクロール操作部の大きさを限定することなく、より簡潔にスクロール操作部の表示態様を変更する。【解決手段】表示装置は、スクロール操作を行うためのスクロール操作部を表示する。そして、外部入力の指示位置が、スクロール操作のための操作領域に侵入したことを検知した場合に、スクロール操作部の表示態様を変更する。【選択図】図４
2020144937.tif 000002
【特許請求の範囲】
【請求項１】
スクロール操作を行うためのスクロール操作部を表示する表示部と、
外部入力の指示位置が、前記スクロール操作のための操作領域に侵入したことを検知する検知部と、を備え、
前記表示部は、前記検知部が前記操作領域への前記指示位置の侵入を検知した場合に、前記スクロール操作部の表示態様を変更することを特徴とする表示装置。
【発明の詳細な説明】
【技術分野】
【０００１】
本発明は、表示装置における表示方法に関する。
【背景技術】
【０００２】
表示装置において、表示内容のスクロール量を変更する手法が特許文献１に記載されている。具体的に、特許文献１の装置は、表示コンテンツを第１単位スクロール量でスクロールさせるためのスクロールバー１２ａを、グリップ１３ａを含んで第１の表示内容で表示する。そして、使用者がスクロールバー１２ａのグリップ１３ａを長押しした場合には、スクロールバー１２の表示内容を、スクロールバー１２ｂとグリップ１３ｂを含む第２の表示内容に変更する。第２の表示内容でグリップ１３ｂが操作されると、特定情報が付与されたページ毎にスクロールする第２スクロール方式によってスクロールがなされる。
【先行技術文献】
【特許文献】
【０００３】
【特許文献１】特開２０１３−２５０６５８号公報
【発明の概要】
【発明が解決しようとする課題】
【０００４】
特許文献１の手法では、通常時にグリップ１３ａが長押しした場合、特定情報が付与されたページ毎にスクロールする第２スクロール方式に変更される。このため、通常時のグリップ１３ａを小さくしてしまうと、使用者がグリップ１３ａを長押しすることが困難になる。このため、通常時のグリップ１３ａはある程度の大きさが必要となり、大きさが限られてしまう。即ち、通常時のグリップ１３ａの大きさを、表示される情報量に合わせて調整することができなくなってしまう。
【０００５】
本発明の解決しようとする課題としては、上記のものが一例として挙げられる。本発明は、通常時のスクロール操作部の大きさを限定することなく、より簡潔にスクロール操作部の表示態様を変更することが可能な表示装置を提供することを目的とする。
【課題を解決するための手段】
【０００６】
請求項１に記載の発明は、表示装置であって、スクロール操作を行うためのスクロール操作部を表示する表示部と、外部入力の指示位置が、前記スクロール操作のための操作領域に侵入したことを検知する検知部と、を備え、前記表示部は、前記検知部が前記操作領域への前記指示位置の侵入を検知した場合に、前記スクロール操作部の表示態様を変更することを特徴とする。
【０００７】
請求項８に記載の発明は、表示装置により実行される表示方法であって、スクロール操作を行うためのスクロール操作部を前記表示装置に表示する表示工程と、外部入力の指示位置が、前記スクロール操作のための操作領域に侵入したことを検知する検知工程と、を備え、前記表示工程は、前記検知工程が前記操作領域への前記指示位置の侵入を検知した場合に、前記スクロール操作部の表示態様を変更することを特徴とする。
【０００８】
請求項９に記載の発明は、コンピュータを備える表示装置により実行されるプログラムであって、スクロール操作を行うためのスクロール操作部を表示する表示部と、外部入力の指示位置が、前記スクロール操作のための操作領域に侵入したことを検知する検知部、として前記コンピュータを機能させ、前記表示部は、前記検知部が前記操作領域への前記指示位置の侵入を検知した場合に、前記スクロール操作部の表示態様を変更することを特徴とする。
【図面の簡単な説明】
【０００９】
【図１】実施例に係る表示装置の外観及び内部構成を示す。
【図２】表示装置による表示例を示す。
【図３】スクロールバーを拡大した場合の表示例を示す。
【図４】表示装置による表示処理のフローチャートである。
【図５】スクロールバーを拡大した場合の他の表示例を示す。
【発明を実施するための形態】
【００１０】
本発明の１つの好適な実施形態では、表示装置は、スクロール操作を行うためのスクロール操作部を表示する表示部と、外部入力の指示位置が、前記スクロール操作のための操作領域に侵入したことを検知する検知部と、を備え、前記表示部は、前記検知部が前記操作領域への前記指示位置の侵入を検知した場合に、前記スクロール操作部の表示態様を変更する。
【００１１】
上記の表示装置は、スクロール操作を行うためのスクロール操作部を表示する。そして、外部入力の指示位置が、表示部上におけるスクロール操作のための操作領域に侵入したことを検知した場合に、表示部はスクロール操作部の表示態様を変更する。これにより、ユーザがスクロール操作をしようとしたときに、スクロール操作がしやすくなるようにスクロール操作部の表示態様が変更される。
【００１２】
上記の表示装置の一態様では、前記検知部は、前記スクロール操作部以外による他のスクロール操作を検知し、前記表示部は、前記検知部が前記他のスクロール操作を検知した場合に、前記スクロール操作部の表示態様を変更する。この態様では、スクロール操作部の操作によるスクロール操作以外の他のスクロール操作が検知されたときに、スクロール操作部の表示態様を変更する。
【００１３】
上記の表示装置の他の一態様では、前記表示部は、前記検知部が前記指示位置の侵入又は前記他のスクロール操作を検知していない場合には前記表示部に表示される全情報の情報量に応じたサイズで前記スクロール操作部を表示し、前記検知部が前記指示位置の侵入又は前記他のスクロール操作を検知した場合には前記スクロール操作部を拡大して表示する。これにより、スクロール操作が行われていない場合にはユーザはスクロール操作部のサイズにより表示部に表示される情報の全体の情報量を把握することができ、スクロール操作を行う際にはユーザがスクロール操作しやすいようにスクロール操作部が拡大される。
【００１４】
上記の表示装置の他の一態様では、前記表示部は、前記情報量が所定量より少ない場合には、前記スクロール操作部の表示態様を変更しない。この態様では、表示部に表示される情報量が少ない場合には、スクロール操作部はユーザが操作しやすいサイズを有するため、表示態様を変更しない。
【００１５】
上記の表示装置の他の一態様では、前記表示部は、情報量が予め決まっている情報を表示する場合には前記検知部の検知結果によらず前記スクロール操作部を一定のサイズで表示し、情報量が予め決まっていない情報を表示する場合には前記検知部の検知結果に基づいて前記スクロール操作部の表示態様を変更する。この態様では、情報量が予め決まっている情報を表示する場合には、スクロール操作部のサイズによって情報量を把握する必要が無いので、スクロール操作部はユーザが操作しやすい一定のサイズで表示される。一方、情報量が予め決まっていない情報を表示する場合には、ユーザがスクロール操作部のサイズによって全体の情報量を把握できるようにし、さらにスクロール操作が行われることが検知されたときにはスクロール操作部をユーザが操作しやすいサイズで表示する。
【００１６】
上記の表示装置の他の一態様では、前記検知部が前記指示位置の侵入又は前記他のスクロール操作を検知しなくなった場合、前記表示部は前記スクロール操作部の表示態様を変更前の表示態様に戻す。この態様では、スクロール操作の終了後はスクロール操作部の表示態様が元に戻り、ユーザはスクロール操作部のサイズに基づいて全体の情報量を把握できるようになる。
【００１７】
上記の表示装置の他の一態様では、前記表示部は、前記スクロール操作部の表示態様を変更した後、前記指示位置が前記スクロール操作部の領域に入ったときに、前記スクロール操作部の表示態様を変更前の表示態様に戻す。この態様では、ユーザがスクロール操作部を利用してスクロール操作を始めた後は、スクロール操作部のサイズによって全体の情報量が把握できるようにスクロール操作部の表示態様が元に戻される。
【００１８】
本発明の他の好適な実施形態では、表示装置により実行される表示方法は、スクロール操作を行うためのスクロール操作部を前記表示装置に表示する表示工程と、外部入力の指示位置が、前記スクロール操作のための操作領域に侵入したことを検知する検知工程と、を備え、前記表示工程は、前記検知工程が前記操作領域への前記指示位置の侵入を検知した場合に、前記スクロール操作部の表示態様を変更する。この方法によっても、スクロール操作のために外部入力の指示位置がスクロール操作のための操作領域に入ったときに、スクロール操作がしやすいようにスクロール操作部の表示態様を変更することができる。
【００１９】
本発明の他の好適な実施形態では、コンピュータを備える表示装置により実行されるプログラムは、スクロール操作を行うためのスクロール操作部を表示する表示部と、外部入力の指示位置が、前記スクロール操作のための操作領域に侵入したことを検知する検知部、として前記コンピュータを機能させ、前記表示部は、前記検知部が前記操作領域への前記指示位置の侵入を検知した場合に、前記スクロール操作部の表示態様を変更する。このプログラムを実行することにより、スクロール操作のために外部入力の指示位置がスクロール操作のための操作領域に入ったときに、スクロール操作がしやすいようにスクロール操作部の表示態様を変更することができる。このプログラムは、記憶媒体に記憶して取り扱うことができる。
【実施例】
【００２０】
以下、図面を参照して本発明の好適な実施例について説明する。
［装置構成］
図１（Ａ）は実施例に係る表示装置の外観を示す。表示装置１０は、入力装置としてタッチパネルを備える表示装置（以下、「タッチパネル型表示装置」と呼ぶ。）１０ａと、入力装置としてマウスを備える表示装置（以下、「マウス入力型表示装置」と呼ぶ。）１０ｂとを含む。タッチパネル型装置１０ａとしては、スマートフォン、タブレット型端末、カーナビゲーション装置などが挙げられる。また、マウス入力型装置１０ｂとしては、パーソナルコンピュータが挙げられる。なお、以下の説明において、タッチパネル型装置１０ａとマウス入力型表示装置１０ｂを区別しない場合には、単に「表示装置１０」と記す。
【００２１】
図１（Ｂ）は、表示装置１０の内部構成を示すブロック図である。表示装置１０は、ＣＰＵ１１と、ＲＡＭ１２と、ＲＯＭ１３と、表示部１４と、入力部１５とを備える。ＲＯＭ１３は、各種のアプリケーションのプログラムを記憶する。ＣＰＵ１１は、ＲＯＭ１３に記憶されているプログラムを実行することにより、各種のアプリケーション（以下、「アプリ」とも呼ぶ。）を実行する。ＲＡＭ１２は、ＣＰＵ１１が各種の処理を行う際の作業メモリとして機能する。なお、ＣＰＵ１１は本発明の検知部として機能する。
【００２２】
表示部１４は、アプリケーションの実行中に各種の表示内容が表示される。入力部１５には、アプリケーションの起動や実行の際にユーザにより操作入力がなされる。表示装置１０がタッチパネル型表示装置１０ａである場合、入力部１５は表示部１４上に設けられたタッチパネルとなる。また、表示装置１０がマウス入力型表示装置１０ｂである場合、入力部１５はキーボード及びマウスとなる。
【００２３】
［スクロールバーの表示］
（基本処理）
次に、実施例におけるスクロールバーの表示について説明する。図２（Ａ）は、マウス入力型表示装置１０ｂにおいてナビゲーションアプリを実行し、目的地を住所検索により設定している場合の表示例を示す。表示画面２０には、リスト表示部２１と、スクロールバー２２と、スクロール操作領域２３と、カーソル２４とが表示されている。リスト表示部２１には、都道府県のリストが表示されている。スクロール操作部２３は、スクロールバー２２が移動可能な領域である。カーソル２４は、マウスの操作により選択された位置を示している。なお、スクロールバー２２は本発明のスクロール操作部に相当する。
【００２４】
ユーザは、マウスを操作してリスト表示部２１に表示されている項目の位置でクリックなどを行うことにより、その項目を選択することができる。また、リスト表示部２１に表示されていない項目を表示したい場合には、ユーザはスクロール操作を行う。即ち、ユーザは、マウスを操作してカーソル２４をスクロールバー２２の位置に移動させ、上下にドラッグ操作（マウスをクリックしたまま上下に移動させる操作）を行うことにより、リスト表示部２１を上下にスクロールさせることができる。具体的に、ユーザがスクロールバー２２をスクロール操作領域２３内で上方向に移動させると、リスト表示部２１の表示内容が上方向にスクロールし、「関東地方」より上にある「東北地方」の項目がリスト表示部２１に現れる。一方、ユーザがスクロールバー２２をスクロール操作領域２３内で下方向に移動させると、リスト表示部２１の表示内容が下方向にスクロールし、「中部地方」の「新潟県」以下の項目がリスト表示部２１に現れる。
【００２５】
スクロールバー２２のサイズ（大きさ）は、リスト表示部２１に表示される表示内容全体の情報量に応じて可変となっている。具体的に、スクロールバー２２のサイズは、リスト表示部２１に表示可能な表示内容全体の情報量に対する、現在リスト表示部２１に表示されている情報量の割合に応じて変更される。リスト表示部２１に一度に表示可能な情報量は固定であるため、表示内容全体の情報量が少ないほどスクロールバー２２は大きく（長く）なり、表示内容全体の情報量が多いほどスクロールバー２２は小さく（短く）なる。図２（Ｂ）は、辞書アプリで「ｄ」で始まる英単語を表示した場合の表示例を示す。この場合、「ｄ」で始まる英単語は多数あり、表示内容全体の情報量が多いため、スクロールバー２２は図２（Ａ）の例と比べて小さくなっている。
【００２６】
このように、表示内容全体の情報量が多い場合、それに応じてスクロールバー２２は小さくなるが、スクロールバー２２が小さくなるとスクロール操作が難しくなるという問題がある。スクロール操作は、カーソル２４をスクロールバー２２の位置に重ねて、上下にドラッグすることにより行われるが、スクロールバー２２が小さくなると、カーソル２４をスクロールバー２２の位置に重ねることが難しくなる。
【００２７】
これは、タッチパネル型表示装置１０ａの場合も同様である。タッチパネル型表示装置１０ａの場合、表示画面２０にカーソル２４は無く、ユーザが指やタッチペンなどでスクロールバー２２の部分に直接タッチ（接触）してスクロールバー２２を上下にドラッグすることによりスクロール操作がなされる。よって、この場合でも、表示内容全体の情報量が多く、スクロールバー２２が小さくなると、スクロール操作が難しくなる。
【００２８】
そこで、本実施例では、マウス入力型表示装置１０ｂにおけるカーソル２４の位置又はタッチパネル型表示装置１０ａにおけるタッチ位置（以下、両方を含めて「指示位置」と呼ぶ。）が、スクロール操作領域２３に入った場合に、スクロールバー２２の表示態様を変更する。具体的には、スクロールバー２２を拡大して表示する。これにより、ユーザはカーソル２４や指によりスクロールバー２２をドラッグしやすくなり、スクロール操作がしやすくなる。なお、スクロールバー２２の拡大方法としては、例えば図２に示すようにスクロール方向が上下方向である場合にはスクロールバー２２の上下方向の長さを長くし、スクロール方向が左右方向である場合にはスクロールバー２２の左右方向の長さを長くする。
【００２９】
図３（Ａ）は、図２（Ｂ）に示す表示例において、カーソル２４の指示位置がスクロール操作領域２３に侵入し、その結果スクロールバー２２が拡大された状態を示す。拡大後のスクロールバー２２ｘは、図２（Ｂ）に示すスクロールバー２２よりも上下方向の長さが長くなっている。図３（Ｂ）は、拡大後のスクロールバー２２ｘをカーソル２４によりドラッグする様子を示す。カーソル２４の指示位置は拡大されたスクロールバー２２ｘ上に移動している。このように、カーソル２４の指示位置がスクロール操作領域２３に入ったときにスクロールバー２２を拡大することにより、その後にスクロールバー２２をドラッグすることによるスクロール操作を容易に行うことが可能となる。
【００３０】
なお、図３（Ａ）、（Ｂ）は、マウス入力型表示装置１０ｂの場合の表示例を示しているが、タッチパネル型表示装置１０ａの場合も同様である。外部入力の指示位置、即ち、ユーザの指やタッチペンなどのタッチ位置がスクロール操作領域２３に入ったときに、図３（Ａ）に示すように、拡大したスクロールバー２２ｘを表示すればよい。これにより、ユーザは指などでスクロールバー２２ｘを容易にドラッグしてスクロール操作を行うことができる。
【００３１】
（応用処理１）
上記の例では、カーソル２４やユーザの指などの指示位置がスクロール操作領域２３に入ったときにスクロールバー２２を拡大しているが、これに加えて、スクロールバー２２を利用する方法以外の方法により実際にスクロール操作が開始されたときにスクロールバー２２を拡大することとしてもよい。例えば、マウス入力型表示装置１２ｂの場合、マウスホイールを操作することにより表示内容を上下にスクロールすることができる。また、タッチパネル型表示装置１０ａの場合、いわゆるフリック操作又はスワイプ操作により表示内容を上下又は左右にスクロールすることができる。なお、「フリック操作」とはタッチパネルに接触した指などをある方向に払ったり弾いたりするように動かす操作をいい、「スワイプ操作」とはタッチパネルに接触した指などを一定方向に掃くように動かす操作を言う。
【００３２】
これらの操作によっても表示内容をスクロールすることができるが、スクロール量が大きい場合にはスクロール操作が大変であり、時間を要してしまう。即ち、マウスホイール操作やフリック／スワイプ操作は１回の操作によるスクロール量が少ないため、表示内容を大きくスクロールするためには同じ操作を繰り返し行わなければならない。そこで、これらの操作によりユーザがスクロールを開始したことを検出したときには、図３（Ａ）に示すように、スクロールバー２２を拡大表示する。これにより、ユーザは、マウスホイール操作やフリック／スワイプ操作を繰り返すよりも、拡大されたスクロールバー２２ｘを操作して一気にスクロールする方が簡単であると判断し、スクロールバー２２ｘによるスクロール操作に切りかえることができる。この応用処理１は、上記の基本処理と組み合わせて実行することができる。
【００３３】
（応用処理２）
また、スクロールバー２２の拡大は、表示内容全体の情報量が多い場合に行い、表示内容全体の情報量が少ない場合にはスクロールバー２２を拡大しないこととしてもよい。これは、表示内容全体の情報量が少ない場合には、表示内容全体の情報量に対する、リスト表示部２１に表示されている情報量の割合が比較的大きいため、もともとスクロールバー２２はある程度のサイズで表示されているからである。具体的には、表示内容全体の情報量が所定量より多い場合にスクロールバー２２を拡大表示し、所定量より少ない場合にはスクロールバー２２を拡大しないこととしてもよい。この応用処理２は、基本処理と組み合わせて実行してもよく、基本処理及び応用処理１と組み合わせて実行してもよい。
【００３４】
（応用処理３）
同様の考え方で、現在表示されているスクロールバー２２のサイズに基づいて、スクロールバー２２の拡大を行うか否かを決定してもよい。多少の個人差はあるものの、マウスや指などによって容易にスクロール操作を行えるスクロールバー２２のサイズはある程度決まったサイズとなる。よって、標準的なユーザにとって容易にスクロール操作を行えるスクロールバー２２のサイズを基本サイズとして予め決めておき、現在表示されているスクロールバー２２のサイズが基本サイズより小さい場合に、スクロールバー２２を拡大することとしてもよい。即ち、ユーザによる指示位置がスクロール操作領域２３に入ったり、別の操作方法によりスクロール操作が開始されたときに、現在表示中のスクロールバー２２のサイズが基本サイズより小さい場合にはスクロールバー２２を拡大し、基本サイズ以上である場合にはスクロールバー２２を拡大せずそのまま表示すればよい。この応用処理２は、基本処理と組み合わせて実行してもよく、基本処理及び応用処理１と組み合わせて実行してもよい。
【００３５】
［表示処理］
次に、表示装置１０による表示処理について説明する。図４は、表示処理のフローチャートである。この処理は、表示装置１０のＣＰＵ１１が、予め用意されたプログラムを実行して表示部１４及び入力部１５を制御することにより実施される。なお、この表示処理は、上記の基本処理と応用処理１とを組み合わせて行った場合の例である。
【００３６】
まず、所定のアプリケーションが起動されると、ＣＰＵ１１は、表示部１４に表示内容及びスクロールバー２２を表示する（ステップＳ１０）。例えば、表示部１４には、図２（Ｂ）に示す表示画面２０が表示される。次に、ＣＰＵ１１は、入力部１５が検出したユーザによる入力操作に基づいて、スクロール操作が開始されたか否かを判定する（ステップＳ１１）。具体的には、ＣＰＵ１１は、前述のように、マウスホイール操作、又は、フリック／スワイプ操作により、スクロール操作が開始されたか否かを判定する。
【００３７】
スクロール操作が開始された場合（ステップＳ１１：Ｙｅｓ）、処理はステップＳ１３へ進む。一方、スクロール操作が開始されていない場合（ステップＳ１１：Ｎｏ）、ＣＰＵ１１は、マウス又は指などによる指示位置がスクロール操作領域２３内に入ったか否かを判定する（ステップＳ１２）。指示位置がスクロール操作領域２３に入っていない場合（ステップＳ１２：Ｎｏ）、処理はステップＳ１０へ戻る。
【００３８】
一方、ステップＳ１１でスクロール操作が開始したと判定された場合、及び、ステップＳ１２で指示位置がスクロール操作領域２３に入ったと判定された場合、ＣＰＵ１１はスクロールバー２２を拡大表示する（ステップＳ１３）。これにより、図３（Ａ）に例示するようにスクロールバー２２が拡大され（スクロールバー２２ｘ参照）、ユーザは容易にスクロールバー２２を使用したスクロール操作を行うことができるようになる。
【００３９】
次に、ＣＰＵ１１は、スクロールバー２２によるスクロール操作が開始されたか否かを判定する（ステップＳ１４）。スクロールバー２２を拡大した後、一定時間スクロール操作が開始されない場合（ステップＳ１４：Ｎｏ）、処理はステップＳ１０へ戻る。一方、スクロール操作が開始された場合（ステップＳ１４：Ｙｅｓ）、ＣＰＵ１１は、スクロール処理を行う（ステップＳ１５）。具体的には、ＣＰＵ１１は、表示部１４を制御して、ユーザによるスクロール量に応じて表示内容を更新するとともに、スクロール操作領域２３内におけるスクロールバー２２の位置を移動させる。
【００４０】
次に、ＣＰＵ１１は、スクロール操作が終了したか否かを判定する（ステップＳ１６）。スクロール操作が終了していない場合（ステップＳ１６：Ｎｏ）、ＣＰＵ１１はスクロール処理を継続する。一方、スクロール操作が終了した場合（ステップＳ１６：Ｙｅｓ）、ＣＰＵ１１は、ステップＳ１０へ戻り、スクロールバー２２を拡大前の通常表示に戻す。なお、この表示処理は、アプリケーションの終了などにより終了する。
【００４１】
［変形例］
（変形例１）
リスト表示部２１に表示する内容が、全体の情報量がわかっているものであるか否かに応じて、スクロールバーの拡大を行うか否かを決定することとしてもよい。例えば、図２（Ａ）の例に示す都道府県リストや住所のリストなどのように、予め全体の件数がわかっているものを表示する場合には、ユーザがスクロールバー２２を見てその長さによって全体の件数を把握できるようにする必要が無い。このため、スクロールバー２２のサイズを全体の情報量に応じて変更せず、前述の基本サイズなど、スクロール操作のしやすいサイズに固定して表示する。一方、何らかの検索結果など、全体の件数がわからないものを表示する場合には、スクロールバー２２のサイズを見て全体の件数を把握できるようにする必要がある。よって、通常は全体の情報量に応じてスクロールバー２２のサイズを変更して表示し、上記のように指示位置がスクロール操作部２３に入った場合、及び、マウスホイールやフリック／スワイプ操作によりスクロール操作が開始された場合に、スクロールバー２２を拡大する。
【００４２】
（変形例２）
上記の実施例では、拡大後のスクロールバー２２ｘを利用したスクロール操作が終了したときにスクロールバー２２ｘを元のサイズに戻しているが、その代わりに、拡大後のスクロールバー２２ｘをユーザがつかんだとき、具体的には、ユーザがカーソル２４や指で拡大後のスクロールバー２２ｘによるスクロール操作を開始したときにスクロールバー２２ｘを元のサイズに戻してもよい。但し、図５（Ａ）に示すように、ユーザが拡大後のスクロールバー２２ｘの拡大された部分（即ち、拡大後のスクロールバー２２ｘの上端や下端をカーソル２４や指でつかんでスクロール操作を開始した場合は、スクロールバー２２ｘのサイズを元に戻してしまうと、表示画面上ではユーザはスクロールバー２２でない部分をつかんでスクロール操作を行っているような状態となり、違和感を覚える可能性がある。このため、ユーザが拡大後のスクロールバー２２ｘによるスクロール操作を開始した場合に、図５（Ｂ）に示すように、拡大後のスクロールバーの拡大された部分を透明にしたり、別の色にしたりして表示してもよい。これにより、ユーザは元のスクロールバー２２のサイズを見て表示内容の全体の情報量を意識しながらスクロール操作を行うことができる。
【符号の説明】
【００４３】
１０  表示装置
１１  ＣＰＵ
１４  表示部
１５  入力部
２０  表示画面
２２、２２ｘ  スクロールバー
２３  スクロール操作領域
２４  カーソル
【図１】
2020144937.tif 000003
【図２】
2020144937.tif 000004
【図３】
2020144937.tif 000005
【図４】
2020144937.tif 000006
【図５】
2020144937.tif 000007